Podtech/llm-jp-corpus-v4-ja_patent huggingface dataset:
(57)【要約】      （修正有）【課題】人力による土壌採取（掘削）において、掘削対象土壌の性状、被覆の有無に左右されず、一つの道具で確実に施工できる掘削道具を提供する。【解決手段】支点部１、刃先部２、柄部３、ヒンジ部、留めネジ、からなるもので、掘削を進めると地表面の被覆層に柄部３が干渉しスコップ先端の刃先部２の開閉が不可能となる。その時点で支点部１の留めネジを緩め、支点部１を上方に移動させ再度留めネジにて固定、これによりヒンジ部を支点とした刃先部２の開閉動作が確保される。この繰り返しによって、深く掘り進むことが可能になり、本道具が本来持っている汎用性（長所）を更に向上させることができる。また刃先部２の形状の変更、柄部３の継ぎ足しも可能な形状にすることができるため、さらに作業の効率化を計ることが可能となった。【選択図】図１
0003148150.tif 000002
【実用新案登録請求の範囲】
【請求項１】
スコップの刃先に棒状の柄を設け、二つのスコップをそれぞれ刃先の凹面を向き合わせた状態で支点部金具にてつながれ、さらに支点部金具は上下にスライド可能で、任意の位置で固定可能とした、支点可動式複式ショベル型掘削道具。
【考案の詳細な説明】
【技術分野】
【０００１】本考案は、人力により表層の土を採取または、穴を掘ることを目的に使用する道具に関するものである。
【背景技術】
【０００２】既存の道具は主として被覆の無い場所で使用され、被覆のある場所で深く掘り進むには口元である被覆層の口径を大きくしながら掘り進む必要があり、口元の口径を一定に保ったまま掘り進むことが出来ない形状であった。
【考案の開示】
【考案が解決しようとする課題】
【０００３】地表面に被覆（コンクリート、アスファルト等）のある場所で土壌を採取する場合、手順としてコンコリートカッター等の道具を用いて、事前に被覆に穴を開ける必要がある。次に掘り進める場合、既存の道具では深く掘り進むと被覆部分に道具が干渉するため、掘り進む深さを検案して事前に被覆の口元を大きく開けておくか、掘り進むにしたがって穴の中心に対し、すり鉢状に大きく掘り下げなければならないという欠点があるため、道具として汎用性があるにもかかわらず、土壌採取の道具として使用されない状況にあった。本考案の支点可動式複式ショベル型掘削道具は前述の問題を解消しようというものである。
【課題を解決するための手段】
【０００４】本考案は、大別して二つの柄部、支点部、二つの刃先部で構成さており、支点部分がスライド移動式になっていることが大きな特徴である。更に二つの刃先部はお互いに凹面部が向き合う構造になっており、二つの刃先部は支点部を軸に二つの柄部を動かすことにより土壌を挟むように作用し採取可能な構造になっている。まず地表面の被覆（コンクリート等）に穴を開け支点可動式複式ショベル型掘削道具を刃先先端から挿入し掘り進めると、柄部が地表面の被覆に干渉し、掘り進めることが出来ない。そこで支点部分の位置を上方に移動させることにより、柄部の干渉がなくなり、掘り進められることで前述の問題を解決している。
【考案の効果】
【０００５】土壌を採取する方法は機械式と人力式に大別され、本道具は人力式の場合に使用される道具である。従来の人力式の道具としては、主としてハンドーオーガー等が使用されているが、被覆直下に砕石等が敷かれている場合は直接使用することが出来ず、また土の性状によって掘削効率が大きく左右されているのが現状である。本道具は支点部がスライド移動式であり、又刃先形状の変更、柄の部分を継ぎ足し可能な方式にすることも可能で、汎用性があり作業効率に優れた道具と言える。
【考案を実施するための形態】
【０００６】掘削する深さに合わせてスライド移動式支点部の位置を決め固定する。更に深く掘削する場合はコンクリート等の被覆部分に柄の部分が干渉するためにスコップの刃先部分が開かなくなるため、その都度、支点部の位置を上方に移動することにより深く掘り進むことが可能となる。
【実施例】
【０００７】以下、添付図面に従って実施例を説明する。１は支点部である。２は刃先部である。３は柄部である。４ｂは留めネジである。５は被覆層である。【０００８】始めに、支点部１は、刃先部２と柄部３のつなぎ部分に固定し、最初の掘削を始める。掘り進むと柄部３と地表面の被覆層５が干渉し刃先部２の開閉が不可能となる、その時点で支点部１の留めネジ４ｂ四ヶ所を緩め支点部１を上方へ刃先部２の開閉可能な任意の位置までスライド移動させ再度留めネジ４ｂにて固定させる。この作業を繰り返すことで、より深い掘削が可能となる。
【図面の簡単な説明】
【０００９】
【図１】支点可動式複式ショベル型掘削道具の斜視図である。
【図２】支点部斜視図である。
【図３】地中掘削断面図である。
【符号の説明】
【００１０】１    支点部
２    刃先部
３    柄部
４ａ  ヒジ部
４ｂ  留めネジ
５    被覆層
６    支点可動式複式ショベル型掘削道具
【図１】
0003148150.tif 000003
【図２】
0003148150.tif 000004
【図３】
0003148150.tif 000005
(57)【要約】      （修正有）【課題】遊戯中のパチンコ玉入れ箱の静電防止用穴の出玉のつまりや、計数器及びパチンコ台の上皿に出玉を流す時に玉が床にこぼれたり静電防止用穴の出玉が取りにくくなるなどの不具合が生じないパチンコ玉入れ箱用の小物を提供する。【解決手段】底面に消音マットが配置されたパチンコ玉入れ箱の底部、及び前記消音マットを貫通するように形成された静電防止穴に取り付けられるパチンコ玉入れ箱用の小物において、導電性を有する材料からなり、前記静電防止穴に挿通して当該静電防止穴を塞ぐように取付可能であることを特徴とする。【選択図】図１
0003148148.tif 000002
【実用新案登録請求の範囲】
【請求項１】
パチンコ玉入れ箱に導電性樹脂もしくは金属の部材で製作した小物を設けて、遊戯中のパチンコ玉入れ箱の静電防止用穴の出玉つまり、計数器及びパチンコ台の上皿に出玉を流す時の玉が床にこぼれ及び静電防止用穴につまった玉を取りにくくなるなどの不具合を生じないようにする。
【考案の詳細な説明】
【技術分野】
【０００１】  本考案は、パチンコ玉入れ箱の静電防止用穴に導電性樹脂もしくは金属の部材で製作した小物を設けた、パチンコ玉入れ箱に関するものである。
【背景技術】
【０００２】  遊技場で使用するパチンコ玉入れ箱の底面及び消音マットに、静電防止のため、玉の大きさよりやや小さめの左右対角もしくは両側対称に穴が設けてある。また、玉入れ箱の底面に消音マット貼り、同様に左右対角もしくは両側対称に穴が設けてある。【０００３】  大当たりの際出玉が箱に満杯となり、底面及び消音マットの穴に入ってしまい、出玉をカウントする計数器に流すときに床にこぼれ、又は静電防止穴につまった玉が取れなくなってしまうケースもある。【０００４】  遊戯者が出玉を継続遊戯する場合は、出玉を使いきる最後に底面及び消音マットの穴に玉がつまり、取り出しにくくなってしまい、その玉を取り出す煩わしさがある。又は、遊戯者がパチンコ台の上皿に箱を持って出玉を入れる際穴に入った玉が床にこぼれてしまう。【０００５】  店員さんが床にぼれた玉をひとつひとつ拾う手間がかかり、こぼれた玉を放置すると遊戯者に損を与えることになる。
【考案の開示】
【考案が解決しようとする課題】
【０００６】  床にこぼれた玉を遊戯者もしくは店員さんが拾う煩わしさと遊戯者に損を与える事なる。従って、穴を塞ぐ導電性樹脂もしくは金属のものを設けて、静電防止も同時にでき、前述の欠点を解決しようとする
【課題を解決するための手段】
【０００７】  本考案は、パチンコ玉入れ箱底面及び消音マット内側の静電防止穴の上から蓋をするようなイメージのものを挿入する、また、箱の外側の穴から同形のものを同様に挿入し、嵌合させ穴に玉が入らないよう、問題点を解決している。
【考案の効果】
【０００８】  上述のように、本考案は出玉がパチンコ玉入れ箱底面及び消音マットの静電防止用穴に入れないようにして、出玉をカウントする計数器にスムーズに流すことができる。【０００９】  遊戯者が出玉を継続遊戯する場合は、パチンコ玉入れ箱の中に残った出玉を最後まで使いきる事が可能になる。又は、パチンコ台の上皿に箱を持って出玉スムーズに流すことができる。【００１０】  店員さんが床にぼれた玉を一つ一つ拾う手間もなり、遊戯者に損を与えることもなくなる。
【考案を実施するための最良の形態】
【００１１】  本考案は、パチンコ玉入れ箱底面及び消音マット内側の静電防止穴の上からＴ字形ａ（蓋をするようなイメージ）を挿入して、また、箱の外側の穴から同形のものｂを挿入し、ａとｂを嵌合して完全に穴を塞ぐようにする。【００１２】  導電性樹脂もしくは金属の部材を使用することによって、従来の静電防止の役割も果たします。
【実施例】
【００１３】  以下、添付図面に従って一実施例を説明する。
１はパチンコ玉入れ箱、２は箱の底面、３は底面の上に玉と箱当たる際の不快音を消すための消音マット、５はパチンコ玉入れ箱底面の静電防止穴、６は消音マットの静電防止穴、従来は図４のように出玉が静電防止穴に入ってしまう。【００１４】上述の不具合を解消するために、４ａを消音マットの上から挿入し、４ｂを箱の外側の穴から挿入して、図３もしくは図５のように４ａと４ｂを嵌合して完全に穴を塞ぐようにする。【００１５】４ａと４ｂは導電性樹脂もしくは金属の部材を使用することによって、従来の静電防止の役割も果たす。
【図面の簡単な説明】
【００１６】
【図１】本考案のパチンコ玉入れ箱静電防止穴玉溜り塞ぐ小物の実施例を示す正面断面図である。
【図３】本考案のパチンコ玉入れ箱静電防止穴玉溜り防ぐ小物部拡大断面図である。
【符号の説明】
【００１７】１    パチンコ玉入れ箱
２    パチンコ玉入れ箱底面
３    パチンコ玉入れ箱消音マット
４    パチンコ玉入れ箱静電防止穴玉溜り防ぐ小物
５    パチンコ玉入れ箱静電防止穴
６    パチンコ玉入れ箱消音マット静電防止穴
７    パチンコ玉入れ箱取手
【図１】
0003148148.tif 000003
【図２】
0003148148.tif 000004
【図３】
0003148148.tif 000005
【図４】
0003148148.tif 000006
【図５】
0003148148.tif 000007
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
底面に消音マットが配置されたパチンコ玉入れ箱の底部、及び前記消音マットを貫通するように形成された静電防止穴に取り付けられるパチンコ玉入れ箱用の小物において、導電性を有する材料からなり、前記静電防止穴に挿通して当該静電防止穴を塞ぐように取付可能であることを特徴とするパチンコ玉入れ箱用の小物。
【手続補正３】
【補正対象書類名】明細書
【補正対象項目名】０００７
【補正方法】変更
【補正の内容】
【０００７】  本考案は、底面に消音マットが配置されたパチンコ玉入れ箱の底部、及び前記消音マットを貫通するように形成された静電防止穴に取り付けられるパチンコ玉入れ箱用の小物において、導電性を有する材料からなり、前記静電防止穴に挿通して当該静電防止穴を塞ぐように取付可能であることによって、問題点を解決している。
【手続補正４】
【補正対象書類名】明細書
【補正対象項目名】００１６
【補正方法】変更
【補正の内容】
【００１６】
【図１】本考案のパチンコ玉入れ箱、及び小物の実施例を示す正面断面図である。
【図２】本考案のパチンコ玉入れ箱、及び小物の平面図である。
【図３】本考案のパチンコ玉入れ箱における静電防止穴、及び小物の拡大断面図である。
【図４】従来のパチンコ玉入れ箱における静電防止穴の拡大断面図である。
【図５】本考案の小物の拡大図である。
(57)【要約】      （修正有）【課題】ゴム紐を通す時、ゴム紐通しからゴム紐がはずれることがない針で刺して通すゴム紐通しを提供する。【解決手段】安全ピンを押さえても針が出ないように針の収納部の端を折り曲げたことを特徴とする。さらに針の収納部を外側に付けることもでき、このようにして安全ピンを改良し、針で刺してゴム紐を通す。【選択図】図４
0003148149.tif 000002
【実用新案登録請求の範囲】
【請求項１】
安全ピンを押さえても針が出ないように針の収納部の端を折り曲げた、安全ピン改良  針で刺して通すゴム紐通し
【請求項２】
安全ピンを押さえても針が出ないように針の収納部の端を折り曲げて、針の収納部を外側に付けた、安全ピン改良  針で刺して通すゴム紐通し。
【請求項３】
従来の安全ピンの針の収納部を外側に付けた、安全ピン改良  針で刺して通すゴム紐通し。
【請求項４】
従来の安全ピンを細くした、安全ピン改良  針で刺して通すゴム紐通し。
【考案の詳細な説明】
【技術分野】
【０００１】  本考案は、ゴム紐を通す時、ゴム紐通しから、ゴム紐が外れないようにする事に関する。
【背景技術】
【０００２】  従来のゴム紐通しは、針でゴムを完全に留めていなかった。
【考案の開示】
【考案が解決しようとする課題】
【０００３】  しかし、これでは、ゴム紐を通す時、ゴム紐通しとゴム紐が外れる事があるので不便である。
【課題を解決するための手段】
【０００４】  そこで、安全ピン改良  針で刺して通すゴム紐通し（図１）（図２）（図６）（図７）を考案した。
この安全ピン改良  針で刺して通すゴム紐通しにより、ゴム紐通しから、ゴム紐が外れることなく、ゴム紐通しが出来るのである。
【考案の効果】
【０００５】  よって、本考案の安全ピン改良  針で刺して通すゴム紐通しにより、ゴム紐通しを簡単にする事が出来る。
【考案を実施するための最良の形態】
【０００６】  本考案に係わる安全ピン改良  針で刺して通すゴム紐通しは、（図１）（図２）（図３）
（図６）（図７）に示すように針の収納部の端を折り曲げて、安全ピンの針を押さえてもはずれないようになっている。またゴム紐の幅によって（図３）にしめすように幅の広いものや（図４）に示すように幅の細いものがあるようにしている。
【図面の簡単な説明】
【０００７】
【図１】  本考案に係わる安全ピン改良  針で刺して通すゴム紐通しの図である。
【図２】  本考案に係わる安全ピン改良  針で刺して通すゴム紐通しの図である。
【図３】  本考案に係わる安全ピン改良  針で刺して通すゴム紐通しにゴム紐を指した図である。
【図４】  本考案に係わる安全ピン改良  針で刺して通すゴム紐通しにゴム紐を指した図である。
【図５】  本考案に係わる安全ピン改良  針で刺して通すゴム紐通しのゴム紐通し完了後の図である。
【図６】  本考案に係わる安全ピン改良  針で刺して通すゴム紐通しの安全ピンの針の収納部を外側に付けた図である。
【図７】  本考案に係わる安全ピン改良  針で刺して通すゴム紐通しの安全ピンの針の収納部を外側に付けた図である。
【符号の説明】
【０００８】  １    針の収納部の端を折り曲げた図である。
２    針の収納部の端を折り曲げた図である。
３    ゴム紐通し穴の図である。
４    ゴム紐の図である。
５    従来の安全ピンの針の収納部の図である。
【図１】
0003148149.tif 000003
【図２】
0003148149.tif 000004
【図３】
0003148149.tif 000005
【図４】
0003148149.tif 000006
【図５】
0003148149.tif 000007
【図６】
0003148149.tif 000008
【図７】
0003148149.tif 000009
【手続補正書】
【提出日】平成20年9月24日(2008.9.24)
【手続補正１】
【補正対象書類名】実用新案登録請求の範囲
【補正対象項目名】全文
【補正方法】変更
【補正の内容】
【実用新案登録請求の範囲】
【請求項１】
安全ピンを押さえても針が出ないように針の収納部の端を折り曲げた、針で刺して通すゴム紐通し
【請求項２】
安全ピンを押さえても針が出ないように針の収納部の端を折り曲げて、針の収納部を外側に付けた、針で刺して通すゴム紐通し。
【請求項３】
安全ピンの針の収納部を外側に付けた、針で刺して通すゴム紐通し。
【請求項４】
安全ピンの幅を細くした、針で刺して通すゴム紐通し。
(57)【要約】      （修正有）【課題】中に入ったまま自由に手を使うことができるポケット付きシュラフ（寝袋）を提供する。【解決手段】手が自由に出し入れできるポケットと頭部部分の開閉調節が自由に行えるサブファスナーを設けるとともに、本体側面に全面開放できるファスナーを設けることにより、シュラフ（寝袋）の中に入ったままで行える動作環境を広げることと、平面シートやブランケットとしても活用できることを特徴としたシュラフ（寝袋）である。【選択図】図１
0003148144.tif 000002
【実用新案登録請求の範囲】
【請求項１】
手が自由に出し入れできるポケットと頭部部分の開閉調節が自由に行えるサブファスナーを設けることにより、シュラフ（寝袋）の中に入ったまま自由に手を使う、寝ながら何かをするといったことが可能になる。開放時に平面シートとして、また広げてブランケットとして使用できるようにファスナー取付け位置を考えた。寝るためだけのシュラフ（寝袋）ではないところが特長のシュラフ（寝袋）。
【考案の詳細な説明】
【技術分野】
【０００１】本考案は、ポケット付き及び頭部部分、開閉自在のサブファスナーを設けたシュラフ（寝袋）に関するものである。
【背景技術】
【０００２】  従来のシュラフ（寝袋）というと、アウトドアで使用され、外気から身を守るという機能性から頭からすっぽり入るタイプが多く、手足が容易に外に出せない形状のものが主流である。それは一度中に入ってしまうとなかなか自由な動きが取れないという不便な点を持っている。
【考案の開示】
【考案が解決しようとする課題】
【０００３】  シュラフ（寝袋）にポケットを付けることにより、シュラフ（寝袋）に入ったままでも自由に手を動かすことが可能になり、前途の不便を解決しようとするものである。
シュラフ（寝袋）は折り畳みができ持ち運ぶのも容易な簡易ベッドである。本考案はその利便を活かし、もっと使い易く改良し、アウトドアだけではなく、家の中でも気軽に使用できることを目的としたものである。
【課題を解決しようとする手段】
【０００４】  従来、シュラフ（寝袋）の生地は、生地との間に羽毛が挟まれている為、そこにポッケットを付けることは容易なことではなかったが、羽毛が出ない様に縫製することが可能になったので、その技術を活かし従来の寝袋の不便さを解決する手段として、内側から外に手が出せるポケット付きの寝袋を考案した。また、シュラフ（寝袋）に入ったままでもテレビを観る、ゲームをするといった、寝ながらの動作を可能にする為、頭部にサブファスナーを取り付け、顎の下で生地を折返せるよう開閉調節できるようにした。
【考案の効果】
【０００５】  上途の様に、本考案のポケット付きシュラフ（寝袋）はアウトドアでも、家の中でも使用できるようになり、寝るためだけのシュラフ（寝袋）から、日常、家の中でも使えるシュラフ（寝袋）として使用範囲を広げる。
近年、携帯電話やポータブルゲーム、ポータブル音楽プレイヤーなどの普及に伴い、寝ながら電話やメールをする、ゲームをするなどの要素は欠かせないポイントであり、ポケット付きシュラフ（寝袋）はそういった環境にも順応できるものと考える。
【図面の簡単な説明】
【０００６】
【図１】本考案のシュラフ（寝袋）上面図である。
【図２】本シュラフ（寝袋）の全開放時の図である。
【図３】本シュラフ（寝袋）の底面図である。
【符号の説明】
【０００７】  （１）ファスナー（開放時に平面シートになる）
（２）サブファスナー（顎の下で折返せる調節機能付き）
（３）ポケット（内側から外に手を出せる）
（４）上面と下面、それぞれ生地の間に羽毛入り
【図１】
0003148144.tif 000003
【図２】
0003148144.tif 000004
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
手が自由に出し入れできるポケットと頭部部分の開閉調節が自由に行えるサブファスナーを設けるとともに、本体側面に全面開放できるファスナーを設けることにより、シュラフ（寝袋）の中に入ったままで行える動作環境を広げることと、平面シートやブランケットとしても活用できることを特徴としたシュラフ（寝袋）。
【手続補正２】
【補正対象書類名】明細書
【補正対象項目名】０００６
【補正方法】変更
【補正の内容】
【０００６】
【図１】本考案シュラフ（寝袋）の使用例である。
【図２】本考案シュラフ（寝袋）の上面図である。
【図３】本考案シュラフ（寝袋）の全開放時の図である。
【図４】本考案シュラフ（寝袋）の底面図である。
【手続補正３】
【補正対象書類名】図面
【補正対象項目名】全図
【補正方法】変更
【補正の内容】
【図１】
0003148144.tif 000005
【図２】
0003148144.tif 000006
【図３】
0003148144.tif 000007
【図４】
0003148144.tif 000008
(57)【要約】      （修正有）【課題】着脱の手間がなく、また飲料の重量により抜け外れるおそれのないボトルと一体型のフックを提供する。【解決手段】飲料入りボトルのキャップ受けリング４または該キャップ受けリングの下のボトルリング８に携帯紐等の通し穴を有すフック５を突設する。フックの通し穴５ａにカラビナを通してベルトに吊下げたり、バッグに付随したカラビナ，下げ紐などにて直接吊下げ携帯することができる。【選択図】図１
0003148119.tif 000002
【実用新案登録請求の範囲】
【請求項１】
飲料入りボトルのキャップ受けリングまたは該キャップ受けリング下のボトルリングに携帯紐等の通し穴を有すフックを突設したことを特徴とするボトル一体型フック。
【考案の詳細な説明】
【技術分野】
【０００１】
この考案はボトル一体型フック、詳しくは飲料入りボトルを手提げ携帯するためのフックをボトルに突設した考案に関するものである。
【背景技術】
【０００２】
この種のフックとしては登録実用新案第３０４１６５４号公報に記載されているように、別途形成するＣリング形のフックを飲料入りボトルの首部に着脱するようにしている。
【特許文献１】登録実用新案第３０４１６５４号公報
【考案の開示】
【考案が解決しようとする課題】
【０００３】
しかしながら、Ｃリング形のフックはボトルの飲料重量によって抜け外れしない構造と、着脱しやすさの構造を兼ね備えねばならないという課題がある。
【課題を解決するための手段】
【０００４】
本考案は、飲料入りボトルのキャップの受けリングまたは該キャップ受けリング下のボトルリングにカラビナ，携帯用の紐等の通し穴を有すフックを突設して、フックをボトルと一体型にして、かかる課題を解決するようにしたのである。
【考案の効果】
【０００５】
本考案は通し穴を有すフックをボトルのキャップ受けリングまたはその下のボトルリングに設けてボトルと一体にしたので、携帯の際のフックのボトル着脱の手間が解消するという効果を生ずる。
【０００６】
また、フックはボトルと一体のため、飲料重量によってボトルから抜け外れることも一切解消するという効果を生ずる。
【０００７】
別体によるフックの置き忘れまたは紛失を防止することができるという効果を生ずる。
【考案を実施するための最良の形態】
【０００８】
本考案は飲料入りボトルのキャップ受けリングまたは該キャップ受けリングの下のボトルリングに携帯紐等の通し穴を有すフックを突設してボトル一体型にて構成する。
【実施例１】
【０００９】
図１乃至図３は第１実施例を示すもので、飲料入りボトル１の壜口２に嵌着するキャップ３の受けリング４に通し穴５ａを有すフック５を突設した例であって、受けリング４はボトルと一体である。
【００１０】
キャップ３を初開蓋するとキャップ受けリング４との間で封切りされてキャップ受けリング４がボトル側に残り、キャップ３は壜口２より外れる。
【００１１】
なお、フック５は図３に示すように側面視水平形、傾斜形、垂直形のいずれかにて突設する。
【００１２】
フック５の穴にはカラビナ６を通して携帯用のベルト７が取付けることができて、肩掛けなどして飲料入りボトル１を携帯することとなる。また、ボトル１と一体のフック５はデイバッグ，リュックサックなどに付随したカラビナ，下げ紐７ａ等に直接吊り下げて携帯することもできる。
【００１３】
フック５はボトル１と一体のキャップ受けリング４に突設されているので、従来のようにボトル１に装着する手間が省け、またボトル１と一体のため着脱によって生じていたボトルよりの抜け外れも一切解消することとなる。
【実施例２】
【００１４】
図４は第２実施例を示すもので、キャップ受けリング４の下のボトルリング８にフック５を突設した例で、その構成と作用は前例と同じである。
【産業上の利用可能性】
【００１５】
本考案のボトル一体型のフックは飲料入りボトルの重量によって抜け外れるおそれがなく、また着脱の手間なくして飲料入りボトルの携帯用として広範に利用することができる。
【図面の簡単な説明】
【００１６】
【図１】本考案の第１実施例を示すもので、（ａ）は開蓋前のボトルの斜視図、（ｂ）は同、部分拡大断面図
【図２】フックにカラビナを通してベルトに吊下げた状態を示す斜視図
【図３】フックを側面視水平形（ａ）、傾斜形（ｂ）、垂直形（ｃ）とした例を示す部分側面図
【図４】ボトルリングにフックを突設した例を示す第２実施例で、（ａ）は部分拡大断面図、（ｂ）はフックに下げ紐を通して携帯する状態を示す斜視図
【符号の説明】
【００１７】
１はボトル
２は壜口
３はキャップ
４はキャップ受けリング
５はフック
５ａは通し穴
６はカラビナ
７は携帯用のベルト
７ａは下げ紐
８はボトルリング
【図１】
0003148119.tif 000003
【図２】
0003148119.tif 000004
【図３】
0003148119.tif 000005
【図４】
0003148119.tif 000006
(57)【要約】      （修正有）【課題】原材料を少なく、かつ熱をすばやく逃がすことができる電極棒を提供する。【解決手段】ステンレスなど金属を溶接するときに使用する電極棒（タングステン棒）において、外側部分に溝を設けたことを特徴とする。これにより、材料が少なくてすみ、摩擦面が減るため削る時に熱を持ちにくくなる。さらにアルゴンガスを流す際、溝を設けることで表面積が広くなるので電極棒の冷却効率が上昇する。【選択図】図２
0003148154.tif 000002
【実用新案登録請求の範囲】
アルゴン溶接などで使用する電極棒に溝を設け、原材料を少なく、かつ熱をすばやく逃がすことを目的に作られた電極棒。
【考案の詳細な説明】
考案の名称
溝を設けた電極棒
考案の詳細な説明
以下、図面の図１〜３を参照にしていただきたい。
この考案は、ステンレスなど金属を溶接するときに使用する電極棒で、従来の電極棒は円柱状で１点に集中して放電させるために先を尖らせて使用する。尖らせるにはグラインダーなどを用いて削るのだが、削る部分が多いので時間がかかり、摩擦による熱を多く持つため電極棒を冷やしながらの作業が必要となる。本案では、外側部分に溝を設けているため削る部分が少ないので削る時間が短縮でき、あまり熱くなることなく尖らせることができる。それに加え、使用の際、表面部にアルゴンガスを流すのだが、溝を設けることで表面積が広くなることと芯の近くまで表面がくることからアルゴンガスによる電極棒の冷却の効率が上がることも利点の１つである。また、本案では図３に示すように、斜線部分（全体の約３分の１程度）の材料が削減でき、限りある資源を大切に考えた案となっている。
【図１】
0003148154.tif 000003
【図２】
0003148154.tif 000004
【図３】
0003148154.tif 000005
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
アルゴン溶接などで使用する電極棒に溝を設け、原材料を少なく、かつ熱をすばやく逃がすことを目的に作られた電極棒。
【手続補正２】
【補正対象書類名】明細書
【補正対象項目名】全文
【補正方法】変更
【補正の内容】
【考案の詳細な説明】
【考案の詳細な説明】
以下、図面の図１〜３を参照にしていただきたい。
この考案は、ステンレスなど金属を溶接するときに使用する電極棒で、従来の電極棒は円柱状で１点に集中して放電させるために先を尖らせて使用する。尖らせるにはグラインダーなどを用いて削るのだが、削る部分が多いので時間がかかり、摩擦による熱を多く持つため電極棒を冷やしながらの作業が必要となる。本案では、外側部分に溝を設けているため削る部分が少ないので削る時間が短縮でき、あまり熱くなることなく尖らせることができる。それに加え、表面部にアルゴンガスを流すのだが、溝を設けることで表面積が広くなることと芯の近くまで表面がくることからアルゴンガスによる電極棒の冷却の効率が上がることも利点の１つである。また、本案では図３に示すように、斜線部分（全体の約３分の１程度）の材料が削減でき、限りある資源を大切に考えた案である。
【図面の簡単な説明】
【図１】は、従来品を示した図
【図２】は、本考案品の斜視図
【図３】は、本考案品の断面図
(57)【要約】      （修正有）【課題】棚本体にスライド構造及び転倒防止具を設け、収納物の出し入れの際の労働負荷軽減及び家具等の転倒を防止するスライド式棚を提供する。【解決手段】棚本体にスライド構造１を設け、収納物５を置く天板３が引き出し出来る様にし、且つ、天井６とベース板２の間に家具等転倒防止具４を設ける事により、収納物５の出し入れの際に家具上の奥まで手を伸ばす必要がないため労働負荷の軽減と家具等の転倒を防ぐことができる。【選択図】図１
0003148158.tif 000002
【実用新案登録請求の範囲】
【請求項１】
棚本体にスライド構造を設けるとともに、転倒防止具を設ける事により家具の上や押入れ上段の収納物の出し入れを容易に行える事、および家具等の転倒を防止する事を特徴とする家具等転倒防止具付きスライド式棚
【考案の詳細な説明】
【技術分野】
【０００１】  本考案は、スライド構造及び家具等転倒防止具を設けた棚に関するものである。
【背景技術】
【０００２】  家庭等において、収納物は押入れや家具・冷蔵庫等の上のスペースに保管している。
【考案の開示】
【考案が解決しようとする課題】
【０００３】  押入れや家具・冷蔵庫等の上のスペースでの保管は高所で奥行きが深い為に収納物の出し入れは、労働的負担であり、地震時等も含め家具等転倒の危険性がある。従って、スライド構造及び家具転倒防止具を設けた棚を設置する事により収納物を引き出す事が可能になり前述の欠点を解決しようとするものである。
【課題を解決するための手段】
【０００４】  本考案は棚本体にスライド構造を設け、収納物を置く天板が引き出し出来る様にし、且つ、天井との間に家具等転倒防止具を設ける事により問題点を解決している。
【考案の効果】
【０００５】  上述の様に本考案の家具等転倒防止具付きスライド式棚は収納物が引き出せる事により、押入れ及び家具上の奥まで手を伸ばす事無く、側面から容易に収納物の出し入れが出来る。
【考案を実施するための最良の形態】
【０００６】  棚本体を押入れ及び家具上に置き、天井とベース板の間に突っ張り式の転倒防止具を入れて固定する。天板を引き出し側面から収納物を出し入れする。棚の固定と同時に転倒防止が出来る。
【実施例】
【０００７】  以下、添付図面に従って一実施例を説明する。１は鉄、プラスチック等適宜材料及びベアリング等で構成されたスライドレール。２はベース板３は天板でこのベース板２と天板３はスライドレール１により連結されており、天板３は収納物５を載せたまま、引き出す事が出来る。天井６とベース板２の間に転倒防止具４を固定する事により、収納物５の重量によるのベース板２の浮き上がりを防ぐとともに、設置した家具等７の転倒を防止する。
【図面の簡単な説明】
【０００８】
【図１】本考案の家具等転倒防止具付きスライド式棚の実施例を示す側面図である。
【図２】本家具等転倒防止具付きスライド式棚の斜傾図である。
【符号の説明】
【０００９】１  スライドレール
２  ベース板
３  天板
４  転倒防止具
５  収納物
６  天井
７  家具等
８  壁
【図１】
0003148158.tif 000003
【図２】
0003148158.tif 000004
(57)【要約】      （修正有）【課題】組立も簡単にでき、緊急時でもコンパクトに持ち出しが可能な避難生活ユニットＢＯＸを提供する。【解決手段】避難生活のため、キッチン・食卓・トイレ・シャワー室・寝袋・テント・災害用品・その他備品・それぞれをユニット化し、各ユニットを合体して、一つのＢＯＸにまとめ、キャスターを取付け、運び易くしたことを特徴とする、避難生活ユニットＢＯＸである。【選択図】図１
0003148151.tif 000002
【実用新案登録請求の範囲】
【請求項１】
避難生活のため、キッチン（食料）・食卓・トイレ・シャワー室・寝袋・テント・災害用品・その他備品・それぞれをユニット化し、各ユニットを合体して、一つのＢＯＸにまとめ、キャスター（タイヤ）を取付、運び易くした、避難生活ユニットＢＯＸ。
【考案の詳細な説明】
【技術分野】
【０００１】この考案は、自然災害緊急避難生活・アウトドア等の生活ユニットＢＯＸである。
【背景技術】
【０００２】従来、自然災害時は公共施設の避難所、テントでの生活をしている。
【考案の開示】
【考案が解決しようとする課題】
【０００３】避難生活に必要最小限の、道具・食料・災害用品・備品等をコンパクトにまとめ、組立も簡単に、緊急時でも持ち出しが可能なワン。ＢＯＸ型に収めて、管理・保管を容易にすること。
【課題を解決するための手段】
【０００４】生活に必要な、家・食事・排便をユニット化してワンＢＯＸにまとめ、組立も簡単にでき、ワンＢＯＸに縦と横にキャスターを取り付け、運びやすくした。管理については一度使った後に掃除をし、不足分を補給し、物置か、玄関周りに保管とする。
【考案の効果】
【０００５】緊急時でも、貴重品とワンＢＯＸを運び出すことで、その日から、避難生活は出来、他の人への救援活動に参加が出来る。
【考案を実施するための最良の形態】
【０００６】本考案のユニットＢＯＸはキッチンのユニット・テーブル・イスのユニット・簡易トイレ・シャワー室のユニット・寝袋のユニット・食料・防災用品等のユニット・テントのユニット・それらのユニットを合体して、ワンＢＯＸにまとめて移動できるようにした、生活ユニット・ＢＯＸ。
【実施例】
【０００７】  図面を参照しながら、本考案の避難生活ユニット・ＢＯＸの実施例を説明する。
（イ）図１はすべてのユニットを合体して出来たユニット・ＢＯＸ、縦と横にキャスター（タイヤ）を取付け移動できるようにした。
（ロ）図２は中心部のキッチンユニットより、トイレ・シャワー室の壁を外し、さらに、テーブル・イスのユニットを外し、組立てる。
（ハ）図３は、トイレ・シャワー室の壁と屋根（シート）・入り口（シート）の組立で、さらに屋根の上に図６にある引き手（１ａ）とシャワー用の水タンク（１ｇ）を設置し、便器（３ｄ）を内部に取付けして完成。
（ニ）図４は、キッチンの、流し台（１ｂ）。ガス台（１ｄ）・調味料・小物（１ｅ）・食料・食器（１ｆ）・トイレ用品・シャワー器具（３ｅ）・救急箱（１ｈ）水タンク（１ｇ）のユニットを取付けする。
テーブル、イスはそれぞれ折りたたみ設置する。
（ホ）図５はテントのユニット・便器のユニット・寝袋のユニットでそれぞれの場所に設置して完成。
【産業上の利用可能性】
【０００８】本考案は、自然災害時の避難所、アウトドア、キャンプ使用可能。
【図面の簡単な説明】
【０００９】
【図１】各ユニット合体のユニットＢＯＸの斜視図
【図２】ユニット分解の斜視図
【図３】トイレ・シャワー室の組立斜視図
【図４】キッチンユニット・テーブル・イスユニット組立斜視図
【図５】テントユニット・便器ユニット・寝袋ユニットの斜視図
【図６】各ユニットの組立完成斜視図
【符号の説明】
【００１０】１．キッチン本体
１ａ．引き手
１ｂ．流し台（フライパン・ナベ収納）
１ｃ．キャスター（タイヤ）
１ｄ．ガス台（２台）
１ｅ．調味料・小物
１ｆ．食料・食器
１ｇ．水タンク（２ヶ）
１ｈ．救急箱
２．テーブル
２ａ．イス
２ｂ．振れ止め
２ｃ．アジャスター（高調整）
３．トイレ壁
３ａ．トイレ屋根（シート）
３ｂ．トイレ入り口（シート）
３ｃ．アジャスター
３ｄ．便器（折りたたみ）
３ｅ．トイレ備品・シャワー用カラン
３ｆ．振れ止め
４．テント屋根
４ａ．テント（シート）
４ｂ．テント壁（シート）
４ｃ．アジャスター
５．寝袋
【図１】
0003148151.tif 000003
【図２】
0003148151.tif 000004
【図３】
0003148151.tif 000005
【図４】
0003148151.tif 000006
【図５】
0003148151.tif 000007
【図６】
0003148151.tif 000008
【手続補正書】
【提出日】平成20年10月20日(2008.10.20)
【手続補正１】
【補正対象書類名】実用新案登録請求の範囲
【補正対象項目名】全文
【補正方法】変更
【補正の内容】
【実用新案登録請求の範囲】
【請求項１】
避難生活のため、キッチン・食卓・トイレ・シャワー室・寝袋・テント・災害用品・その他備品・それぞれをユニット化し、各ユニットを合体して、一つのＢＯＸにまとめ、キャスターを取付け、運び易くした、避難生活ユニットＢＯＸ。
(57)【要約】      （修正有）【課題】ズボンの洗濯後のしわを伸ばし、乾燥させてすぐにそのままズボンを使用する事が出来る、乾燥用ズボンハンガーを提供する。【解決手段】アーム２の取っ手４を握りズボン内部、腰元より裾方向に差込、取っ手４を緩めアーム２を左右に広げた後、ズボン長手方向のしわをより伸ばし乾燥させる為にアーム２上下部でズボンの外側よりズボンをクリップで止め、長手方向に少し伸ばしフック部１を干し竿等に掛、乾燥させる。又使用後は、植え込み式になってあるバネ３を緩め、固定部同士を結合する事で固定され、アーム２間の幅も狭くなり収納も容易である。【選択図】図１
0003148152.tif 000002
【実用新案登録請求の範囲】
【請求項１】
左右に一本づつ有る、弾力性、復元性のある樹脂製のア−ムの中心付近に，各一ケ所の支点をもちそれぞれの支点を左右に押し広げる事によりズボンの形状にア−ムが変形しズボンのしわを取る乾燥用ズボンハンガーである．
【請求項２】
ア−ムを左右に押し広げる為に支点でピンにより取り付けされ、クロスさせたバネ付の取っ手をもうけ片手で操作できる。
【請求項３】
ズボン内部にア−ムを入れたり出したりし易くする為全体的に丸みを付けてあり又取っ手を握ると、両ア−ムの上部どうしが接触しア−ム間が狭くなる。
【請求項４】
ズボンの折り目を消えにくくする為、ア−ム刃先先端が細くなってある。
【請求項５】
乾燥時用にア−ム上部にフックをもうけ、使用後は両ア−ムを広げるとバネを簡単に緩める事が出来、ア−ム下部の固定部にある差込をする事により固定され、収納しやすくなる。
【考案の詳細な説明】
【技術分野】
【０００１】      本考案は、ズボンの洗濯後しわを取りながら乾燥させる為のズボンハンガ−に関するものである。
【背景技術】
【０００２】      ズボンの洗濯後、従来のハンガーでは、しわが残ったままで乾燥し、すぐにズボンを使用する事が出来なかった。
【考案の開示】
【考案が解決しようとする課題】
【０００３】        しわが出来たままではズボンを使用する事がしにくい為アイロン等でしわを取る為の時間的、労働的、経済的、負担であったが乾燥時に、軽くて簡単にズボン内部を左右に広げる事により、しわを取るズボンハンガ−で問題を解決しようとするものである。
【課題を解決するための手段】
【０００４】        弾力性、復元性を持つ樹脂とバネを使いズボン内部に入れられた左右一本づつのア−ム中心部に、支点を一箇所づつだけもうける事により自由に動き又押し広げる事により不規則なズボンの形状に沿ったア−ムになり細部にわたってしわを伸ばして問題を解決している。
【考案の効果】
【０００５】        ズボンのしわを取る、伸ばす、消す、と言った考えの少ない従来のハンガーに比べ、しわを無くし乾燥後すぐに使用出来る事を、軽くて簡単に素早く誰にでも出来、構造も簡単で加工性も大変良い。
【考案を実施するための最良の形態】
【実施例】
【０００６】          ア−ムの取っ手を握りズボン内部、腰元より裾方向に差込、取っ手を緩めア−ムを左右に広げた後、ズボン長手方向のしわをより伸ばし乾燥させる為にア−ム上下部でズボンの外側よりズボンをクリップで止め、長手方向に少し伸ばしフック部を干し竿等に掛、乾燥させる。又使用後は、植え込み式になってあるバネを緩め、固定部の差し込むをする事で固定され、ア−ム間の幅も狭くなり収納も容易である。
【図面の簡単な説明】
【図１】  取っ手を握った時、上部ア−ム間が狭くなっている状態を示した平面図である。
【図２】  ハンガ−収納時の状態を示し一部切欠の断面図を示した平面図である。
【図３】  ズボン乾燥時、クリップを取り付けた状態を示した平面図である。
【符号の説明】
１    フック
２    ア−ム
３    バネ
４    取っ手
５    固定部
６    クリップ
【図１】
0003148152.tif 000003
【図２】
0003148152.tif 000004
【図３】
0003148152.tif 000005
【手続補正書】
【提出日】平成20年10月19日(2008.10.19)
【手続補正１】
【補正対象書類名】実用新案登録請求の範囲
【補正対象項目名】全文
【補正方法】変更
【補正の内容】
【実用新案登録請求の範囲】
【請求項１】
左右に一本づつ有る、弾力性、復元性のある樹脂製のア−ムの中心付近に、各−ケ所の支点をもちそれぞれの支点を左右に押し拡げることによりズボンの形状に、ア−ムが変形しズボンのしわを取ることを特徴とする乾燥用ズボンハンガ−。
【請求項２】
ア−ムを左右に押し拡げる為に支点でピンにより取り付けされ、クロスさせたバネ付の取っ手をもうけ片手で操作出来る用にしたことを特徴とする請求項１記載の乾燥用ズボンハンガ−。
【請求項３】
ズボン内部にア−ムを入れたり出したりし易くする為全体的に丸みを付けてあり又取っ手を握ると、両ア−ムの上部どうしが接触しア−ム間が狭くなるようにしたことを特徴とする請求項１記載の乾燥用ハンガ−。
【請求項４】
ズボンの折り目を消えにくくする為、ア−ム刃先先端が細くなってあるようにしたことを特徴とする請求項１記載の乾燥用ズボンハンガ−。
【請求項５】
乾燥時用にア−ム上部にフックをもうけ、使用後は、両ア−ムを拡げるとバネを簡単に緩める事が出来、ア−ム下部の固定部にある差込をする事により固定され、収納し易くなるようにしたことを特徴とする請求項１記載の乾燥用ズボンハンガ−。
(57)【要約】      （修正有）【課題】外出時、持ち歩く布・紙オムツがバッグの中でかさばってしまうのを解消し、且つ見栄えに優れ、高い商品価値を有するオムツの圧縮固化製品を提供する。【解決手段】典型的な形に二つ折りにした布・紙オムツを長手方向に中央で二つ折りにし、さらにそれと直交する方向に二つ折りにする。これを成型器のキャビティ内で圧縮する。この成形型で圧縮することで、断面形状が均一の任意の形を成形することができ、さまざまな意匠上の工夫を可能にする。この半製品を透明または半透明のフィルムで包装する。この形態に圧縮する事で、荷物をコンパクトにでき、複数の布・紙オムツを携帯する場合も、納まりがよく見た目も美しい。【選択図】図１
0003148156.tif 000002
【実用新案登録請求の範囲】
【請求項１】
任意の形状のキャビティを持つ成形型の前記キャビティに詰め込まれた後、圧縮されて任意の形状に成形固化された状態で包装されたオムツ。
【請求項２】
前記任意の形状が、上からみて、四角形、円形、三角形、星形、ハート型、果物の形状等である請求項１のオムツ。
【請求項３】
紙オムツである請求項１または２のオムツ。
【請求項４】
前記包装が真空パックである請求項１〜３のいずれかのオムツ。
【請求項５】
請求項１〜４のいずれかのオムツを複数個包装したオムツ包装体。
【考案の詳細な説明】
【技術分野】
【０００１】本考案は、オムツおよびその包装体に関し、さらに詳細には外出時使用する圧縮固化されたオムツおよびその包装体に関する。
【背景技術】
【０００２】従来、外出時には、複数のオムツをそのままの状態でバッグに詰め込んでいた。そのため、布・紙オムツが露出し美観がよくなかったりした。
【考案の開示】
【考案が解決しようとする課題】
【０００３】従来の布・紙オムツはかさ張る上、形状も不定で、携帯する時には、他の物品とともにバッグに入れ不便であった。また通常の形では外装を開けると直接布・紙オムツの表面がむき出しになるため、表面にゴミや雑菌が付着しやすいという衛生上の不都合もあった。またバッグからはみだし、見栄えも悪かった。
そこで本考案は、この２つの問題点を一挙に解決し、合わせて流通上の新しい個別販売も可能にするオムツおよびその包装体を提案することを目的とする
【課題を解決するための手段】
【０００４】本考案のオムツは、圧縮固化した上で包装したことを特徴とする。
【考案の効果】
【０００５】本考案の圧縮固化した布・紙オムツにより荷物をコンパクトにする事ができ、複数枚のオムツを所持でき、尚且つバッグからオムツが露出しない上、衛生的に携帯できる。
【考案を実施するための最良の形態】
【０００６】本考案の実施の形態によるオムツ１は、図１で示すように角柱状に圧縮固化され、真空パックされている。形状は、上から見て、四角形、円形、三角形、星形、ハート型、果物等の形にする事ができる。これにより、布・紙オムツの携帯性を良くするだけでなく、美的に改良されて持ち歩く場所が広がる。【０００７】本考案の実施の形態によるオムツは、例えば図２に示されたような四角柱状のキャビティ５０を有する成形型５２に入れられ、上記キャビティの形状に対応した形状の押し型５４によって押されることによって成形される。成形された後は好ましくは透明または半透明のフィルムで真空パックされる。成形型５２に入れる前に、図３の（Ａ）に示したように、二つ折りにした布・紙オムツ１ａを長手方向に中央で二つ折りにし（図３の（Ｂ））、さらにそれと直交する方向に二つ折り（図３の（Ｃ））にし、これを成形型５２のキャビティ５０内に入れ圧縮固化成形する（Ｄ）ことが好ましい。
【産業上の利用可能性】
【０００８】本考案の製品は、かさ張らず、取り扱いやすく、しかも個別に包装されているため、雑菌がつきにくいのが特徴である。その為、複数個購入して必要の都度携帯する他に、コンビニエンスストアなどで必要枚数購入したり、トイレなどに設置されている自動販売機で一個体の販売などの可能性がある。
【図面の簡単な説明】
【０００９】
【図１】本考案の実施の形態によるオムツの斜視図である。
【図２】図１で示したオムツを製造するための成形型の斜視図である。
【図３】図１で示したオムツの製造工程の一部を説明するための図である。
【符号の説明】
【００１０】（Ａ）  典型的な形に折り畳まれた布・紙オムツ
（Ｂ）  長手方向に中央で二つ折りにした布・紙オムツ
（Ｃ）  ２と直交する方向に二つ折りした布・紙オムツ
（Ｄ）  成型器のキャビティ内で圧縮固化した布・紙オムツ
（Ｅ）  透明または半透明のフィルムで包装された半製品
【図１】
0003148156.tif 000003
【図２】
0003148156.tif 000004
【図３】
0003148156.tif 000005
0003148156.tif 000006
【手続補正書】
【提出日】平成20年11月18日(2008.11.18)
【手続補正１】
【補正対象書類名】図面
【補正対象項目名】全図
【補正方法】変更
【補正の内容】
【図１】
0003148156.tif 000007
【図２】
0003148156.tif 000008
【図３】
0003148156.tif 000009
(57)【要約】      （修正有）【課題】茶を飲む際に、湯呑の中で茶柱が立つと、人々は縁起が良いと喜ぶが、なかなか斯様な機会には巡り合えないため、確実に立つ茶柱を提供する。【解決手段】湯よりも比重が大きい、茶柱たりうる大きさの木茎の一端に、挟み圧力を加えるか、針先を幾つか突き刺すことにより、木茎の繊維を解離させる。熱い茶の中では、解離した繊維間に包含された微量な空気は容積が膨張し、浮力を得ることから、木茎の一方の端のみが上方へ浮き上がろうとする力を得る。結果として本考案は湯呑の熱い茶の中で立つこととなる。【選択図】図１
0003148169.tif 000002
【実用新案登録請求の範囲】
【請求項１】
一方の端に、空気の入る微細な間隙を持つ茶柱。
【考案の詳細な説明】
【技術分野】
【０００１】本考案は、茶柱に関するものである。
【背景技術】
【０００２】茶を飲む際に、湯呑の中に茶柱が出現し立つと、縁起の上で喜ぶ人がいる。
【考案の開示】
【考案が解決しようとする課題】
【０００３】茶を湯呑に注いでも、なかなか偶発的には、立つ茶柱は出現しない。
【課題を解決するための手段】
【０００４】熱い茶よりも比重の大きな木茎の一方の端に、挟み圧力を加え潰し、繊維を解離させ、其の繊維の間に微細な間隙を作り、微量な空気を包含させる。繊維が十分に解離しない木茎の場合には、針先にて小さな幾つかの穴を穿孔し、そこに微量な空気を包含させる。
【考案の効果】
【０００５】縁起を担ぐ場において、湯呑の中で立った茶柱が入った茶を提供することは、人々の喜びとなる。
【実施例】
【０００６】湯呑の中に本考案を入れ、熱い茶を注ぐことにより、湯よりも比重の大きな本考案は沈むものの、一端に包含された微量な空気が熱膨張することから浮力を得、結果として本考案は湯呑の茶の中で立つこととなる。
【図面の簡単な説明】
【０００７】
【図１】  本考案の一部拡大立体図。
【符号の説明】
【０００８】  １  木茎
２  繊維の解離した間隙
【図１】
0003148169.tif 000003
(57)【要約】      （修正有）【課題】海水から水素、塩素、苛性ソーダ等を生成することができる装置を提供する。【解決手段】装置の負極に亜鉛を用いるとＺｎ→Ｚｎ２＋＋２ｅとなりＺｎ２＋は２Ｃｌ−と反応して亜鉛塩素水溶液となり、２ｅは外部回路を通り正極に至り、電離分解した海水の２Ｈ＋と反応してＨ２を発生する。Ｃｌ−は陰イオン交換膜を通り負極側の亜鉛塩素水溶液となり、正極側では苛性ソーダが生成する。又負極側で濃縮した亜鉛塩素水溶液は取り出して、別途、電気分解し亜鉛は再利用し、塩素は製品とすることができる。【選択図】図１
0003148162.tif 000002
【実用新案登録請求の範囲】
【請求項１】
負極に亜鉛を用い負極と正極の間を陰イオン交換膜で仕切り  負極側に亜鉛塩素水溶液を入れ正極側に海水を入れ。海水から水素  塩素  苛性ソーダ等を生成する装置
【考案の詳細な説明】
【考案の開示】
【考案が解決しようとする課題】
【０００１】最近、深刻化する地球温暖化を少しでも緩和する為にクリーンエネルギーとしての水素を安価に供給しようとするものです
【課題を解決するための手段】
【０００２】本考案は負極に亜鉛を用い。正極と負極の間を陰イオン交換膜で仕切ります。負極側に亜鉛塩素水溶液を入れ。正極側に天日で濃縮した海水を入れます
負極の亜鉛はプラスイオンと２荷の電子になり。亜鉛イオンは負極側の水溶液となり電子は外部回路を通り正極に至ります  正極に於いて電離分解した海水から水素発生し  塩素はイオン交換膜を通過して亜鉛塩素水溶液となります  又正極側では苛性ソーダが沈殿します
負極側にて濃縮した水溶液は別途電気分解して亜鉛は再利用し  塩素は製品とします
【考案の効果】
【０００３】海水から電力などの動力を必要とせず  水素ガス  塩素  苛性ソーダを生成し安価に提供することができます
【図面の簡単な説明】
【図１】本図は正面断面図である
【図面に於ける符号の説明】
１    容器本体
２    陰極
３    陽極
４    陰イオン交換膜
【図１】
0003148162.tif 000003